(57)【要約】      （修正有）【課題】メモリーカード用コネクタに関し、小型化・薄型化されるコネクタの部品点数を少なくして、コストの低減及び組立工数の削減を図る。【解決手段】前方に開口部を有する筐体３と、該筐体３の側部に設けられたメモリーカード２を脱着させるイジェクト機構部４と、前記メモリーカード２と電気的に接続する複数のコンタクト２ｂと、カード挿着検知手段６と、メモリーカード２のロック用凹部に係合してメモリーカード２を仮止めするハーフロック手段７とを有して成るメモリーカード用コネクタにおいて、前記イジェクト機構部４のプッシュ−プッシュ型用循環溝を有する構成部品であってメモリーカード２に係合して共に後方に押し込まれ当該メモリーカード２の脱着時には付勢手段で前方に押し出されて該メモリーカードを開口部から脱着させるスライド部材４ａに、前記ハーフロック手段を一体にして設けて成るメモリーカード用コネクタ１。【選択図】図１
2006164604.tif 000002
【特許請求の範囲】
【請求項１】
メモリーカード用の収納空間を形成して前方に開口部を有する筐体と、該筐体の側部に設けられメモリーカードを脱着させるイジェクト機構部と、前記メモリーカードと電気的に接続するように前記筐体の後方に配設された複数のコンタクトと、カード挿着検知手段と、前記筐体の側部に設けられメモリーカードのロック用凹部に係合してメモリーカードを仮止めするハーフロック手段とを有して成るメモリーカード用コネクタにおいて、
前記イジェクト機構部のプッシュ−プッシュ型用循環溝を有する構成部品であって収納空間に挿入されるメモリーカードに係合して共に後方に押し込まれ当該メモリーカードの脱着時には付勢手段で前方に押し出されて該メモリーカードを開口部から脱着させるスライド部材に、前記ハーフロック手段を一体にして設けて成ること、
を特徴とするメモリーカード用コネクタ。
【請求項２】
スライド部材は合成樹脂製であって、これに一体に形成されるハーフロック手段が、前記スライド部材の側部前方部からクリップ状に延設されその端部にロック用凹部に係合する突起が設けられてなること、
を特徴とする請求項１に記載のメモリーカード用コネクタ。
【発明の詳細な説明】
【技術分野】
【０００１】
本発明は、例えば、携帯電話を始めとしてＰＤＡ，デジタルカメラ等に使用されるメモリーカード用のコネクタに関するものである。
【背景技術】
【０００２】
従来、メモリーカードにおけるＳＤ（Ｓｅｃｕｒｅ  Ｄｉｇｉｔａｌ）カードは、主に、携帯用のメモリーカードとして使用され、それが、更に、薄型化のために、ＳＤカードの略半分の容量にした、サイズが縦２１．５ｍｍ×横２０ｍｍ×厚さ１．４ｍｍのミニＳＤカードを提供している。このミニＳＤカード２５や前記ＳＤカードを挿着するために、図７に示すように、合成樹脂製若しくは金属製の筐体２０にイジェクト機構２１と複数個の併設されたコンタクト２２と、カード飛び出し防止用のロック機構２３とを備えたメモリーカード用コネクタ２４が知られている（特許文献１参照）。
【特許文献１】特開平２００３−７７５８６号公報
【発明の開示】
【発明が解決しようとする課題】
【０００３】
しかし、従来のメモリーカード用コネクタ２４では、図ａに示すように、イジェクト機構２１における合成樹脂製のスライド部材２１ａと、ロック機構２３である金属製のロックバネとが、別々に形成されて、組み立てられている。よって、部品点数が増加して、部品管理にも手間が掛かり、部品コスト及び組立工数も増加するという不都合がある。
本発明に係るメモリーカード用コネクタは、このような課題を解決するために提案されたものである。
【課題を解決するための手段】
【０００４】
本発明に係るメモリーカード用コネクタの上記課題を解決して目的を達成するための要旨は、 メモリーカード用の収納空間を形成して前方に開口部を有する筐体と、該筐体の側部に設けられメモリーカードを脱着させるイジェクト機構部と、前記メモリーカードと電気的に接続するように前記筐体の後方に配設された複数のコンタクトと、カード挿着検知手段と、前記筐体の側部に設けられメモリーカードのロック用凹部に係合してメモリーカードを仮止めするハーフロック手段とを有して成るメモリーカード用コネクタにおいて、前記イジェクト機構部のプッシュ−プッシュ型用循環溝を有する構成部品であって収納空間に挿入されるメモリーカードに係合して共に後方に押し込まれ当該メモリーカードの脱着時には付勢手段で前方に押し出されて該メモリーカードを開口部から脱着させるスライド部材に、前記ハーフロック手段を一体にして設けて成ることである。
また、前記スライド部材は合成樹脂製であって、これに一体に形成されるハーフロック手段が、前記スライド部材の側部前方部からクリップ状に延設されその端部にロック用凹部に係合する突起が設けられてなることを含むものである。
【発明の効果】
【０００５】
本発明のメモリーカード用コネクタによれば、従来ではイジェクト機構部のスライド部材と別体であったハーフロック手段が、一体にして形成されたので、部品点数が減少し、コストの低減となり、組立工数も低減されるようになるものである。
【発明を実施するための最良の形態】
【０００６】
本発明に係るメモリーカード用コネクタは、主に、ミニＳＤカード用のコネクタ１であり、図１に示すように、メモリーカード２用の収納空間３ａを形成して前方に開口部３ｂを有する合成樹脂製の筐体３と、該筐体３の側部に設けられメモリーカード２を脱着させるイジェクト機構部４と、前記メモリーカード２におけるコンタクト２ｂと電気的に接続するように前記筐体３の後方に配設された複数のコンタクト５と、前記収納空間３ａにメモリーカード２が挿着されたかどうかを検知するカード挿着検知手段６とを有している。
【０００７】
そして、前記筐体３の側部には、図２乃至図３に示すメモリーカード２のロック用凹部２ａに係合して、図４に示すように、当該メモリーカード２を収納空間３ａにおいて仮止めするハーフロック手段７が設けられる。また、図１（Ｂ）に示すように、前記筐体３には、収納空間３ａの片面側を形成するシールド用のシェル８が設けられる。該シェル８には、カード押圧片８ａ，８ｂ、イジェクト機構部４における揺動ピン４ｃ（図１（Ａ）参照）を抜け落ちないように押圧する押え片８ｃが設けられている。
【０００８】
前記ハーフロック手段７は、図４に示すように、前記イジェクト機構部４のプッシュ−プッシュ型で、ハート型に形成されている循環溝４ｄを有する構成部品であって、前記収納空間３ａに挿入されるメモリーカード２に係合して共に後方に押し込まれ、当該メモリーカード２の脱着時には付勢手段（例えば、コイルバネ）４ｂで前方に押し出されて該メモリーカード２を開口部３ｂから脱着させるスライド部材４ａに、一体にして設けられている。
【０００９】
前記スライド部材４ａは合成樹脂製であって、これに一体に形成されるハーフロック手段７が、前記スライド部材４ａの側部前方部の基部７ｃからクリップ状に腕部７ｂが延設され、その端部にロック用凹部２ａに係合する突起７ａが設けられてなる。この突起７ａは、その基部７ｃから弾性力を有して腕部７ｂで延設されているので、押し込まれても当該基部を中心にして元の位置に戻るように揺動する。
【００１０】
また、このスライド部材４ａには、メモリーカード２の先端部の角部２ｃが当接して、ともに押し込まれるようになる当接部４ｅが設けられ、イジェクト機構部４の付勢手段であるコイルバネ４ｂの支持突起４ｆが設けられている。この当接部４ｅと前記突起７ａとの位置関係は、メモリーカード２の先端面と凹部２ａとの位置関係に対応している。
【００１１】
このようにして成る本発明のメモリーカード用コネクタにより、図５乃至図６に示すように、メモリーカード２を挿着させる使用方法を説明する。まず、図５に示すように、コネクタ１の開口部３ｂにメモリーカード２の先端部を抜けて収納空間３ａに差し込む。
【００１２】
図６に示すように、メモリーカード２の側面にて、ハーフロック手段７の突起７ａが外側へと押し込まれる。そして、メモリーカード２が更に後方へ挿入されると、ロック用凹部２ａの位置に至り、前記突起７ａが腕部７ｂの弾性力でここに落とし込まれる。
また、ほぼ同じに、メモリーカード２の先端部の角部２ｃが、スライド部材４ａの当接部４ｅの端面に当接する。まだ、コンタクト２ｂとコンタクト５とは、接続されていない。これが、ハーフロック（仮止め）状態である。
【００１３】
そして、更に、前記メモリーカード２を後方に押し込むと、当接部４ｅに角部２ｃが当接しているので、コイルバネ４ｂの弾性力に抗して、スライド部材４ａが後方に押し込まれて移動する。このとき、図１（Ａ）に示すように、揺動ピン４ｃの片側の端部がハート型の循環溝４ｄを、直線状に進んで、階段状に成っている前記循環溝４ｄによって落とし込まれてガイドされ、途中の係止部４ｇ（図４（Ａ）参照）で係止される。これで、スライド部材４ａが前方に抜け出さないように停止され、前記コンタクト２ｂと、コンタクト５とが電気的に接触する。また、図１（Ａ）に示すように、メモリーカード２の先端側の側縁部２ｄにカード挿着検知手段６のバネ突起部が外に押し出されて、それによって電気的にカード２が挿着されたことが検知される。このように、図１に示す状態がメモリーカード２の挿着完了状態である。
【００１４】
前記挿着完了状態から、再びメモリーカード２を後方に押し込むと、前記揺動ピン４ｃの片側端部が前記係止部４ｇを抜け出して帰路用溝にガイドされ、コイルバネ４ｂの弾性力で、スライド部材４ａが前方に押し戻される。同時に、当接部４ｅも前方に移動するのでメモリーカード２も前方に押し出される。よって、前記コンタクト２ｂ，５同士が離間され、その接続が解除される。そして、図６に示すハーフロックの状態に戻る。このように、プッシュ−プッシュ式のイジェクト機構部４で、メモリーカード２がコイルバネ４ｂの付勢力で勢いよく戻されても、前記突起７ａが凹部２ａに係合しているので、収納空間３ａからメモリーカード２が飛び出して落下することがない。このように、メモリーカード２が保護されているものである。
【００１５】
この後は、メモリーカード２を手で引い抜いて、前記凹部２ａから突起７ａを強制的に押し出させて、収納部３ａからメモリーカード２を完全に取り出すと、図５に示す初期状態になる。
【図面の簡単な説明】
【００１６】
【図１】本発明に係るメモリーカード用コネクタ１の使用状態を示すもので、シェル８を撤去した状態での平面図（Ａ）と、シェル８を挿着した状態での平面図（Ｂ）とである。
【図２】メモリーカード２の斜視図（Ａ）、背面図（Ｂ）、側面図（Ｃ）である。
【図３】同メモリーカード２の斜視図（Ａ）、正面図（Ｂ）である。
【図４】メモリーカード用コネクタ１のスライド部材４ａの、正面図（Ａ）、側面図（Ｂ）、斜視図（Ｃ）、平面図（Ｄ）である。
【図５】メモリーカード用コネクタ１の使用する様子を示す説明図である。
【図６】同メモリーカード用コネクタ１の使用状態において、ハーフロック状態となる様子を示す説明図である。
【図７】従来例に係るメモリーカード用コネクタ２４の正面図である。
【符号の説明】
【００１７】
１          メモリーカード用コネクタ、
２          メモリーカード、              ２ａ      ロック用凹部、
２ｂ        コンタクト、                  ２ｃ      角部、
２ｄ        先端側側縁部、
３          筐体、                        ３ａ      収納空間、  
３ｂ        開口部、
４          イジェクト機構部、            ４ａ      スライド部材、
４ｂ        コイルバネ、                  ４ｃ      揺動ピン、
４ｄ        循環溝、                      ４ｅ      当接部、
４ｆ        支持突起、                    ４ｇ      係止部、
５          コンタクト、
６          カード挿着検知手段、
７          ハーフロック手段、            ７ａ      突起、
７ｂ        腕部、                        ７ｃ      基部、
８          シェル、
８ａ，８ｂ  カード押圧片。
２０        筐体、
２１        イジェクト機構部、
２２        コンタクト、
２３        ロック機構、
２４        メモリーカード用コネクタ。
【図１】
2006164604.tif 000003
【図２】
2006164604.tif 000004
【図３】
2006164604.tif 000005
【図４】
2006164604.tif 000006
【図５】
2006164604.tif 000007
【図６】
2006164604.tif 000008
【図７】
2006164604.tif 000009